(57)【要約】【課題】この発明の目的は、温度の変化によってメガネフレーム自体の色彩を変化させるようにして、複数のメガネフレームを有するようにし、模様を変化させて異なる意匠とすることができるメガネフレームを提供することにある。【解決手段】メガネフレームを構成する前枠、テンプル等の部材のうちの少なくとも一つの構成部材の一部を透明に構成するとともに、この部位に対応する裏面に、温度によって色彩が変化する温度感知部材を配設した。【選択図】　　　　図３
2004125888.tif 000002
【特許請求の範囲】
【請求項１】
メガネフレームを構成する前枠、テンプル等の部材のうちの少なくとも一つの構成部材の一部を透明に構成するとともに、この部位に対応する裏面に、温度によって色彩が変化する温度感知部材を配設したことを特徴とするメガネフレーム。
【請求項２】
前記一部が透明に形成された構成部材の裏面に前記温度感知部材が直に貼着されている請求項１記載のメガネフレーム。
【請求項３】
前記一部が透明に形成され、裏面に温度感知部材が配設されている構成部材は、それらの表面がウレタンニス等の透明材でコーティングされている請求項２記載のメガネフレーム。
【請求項４】
メガネフレームを構成する前枠、テンプル等の部材のうちの少なくとも一つの構成部材の一部を透明に構成するとともに、この部位に対応する裏面に、温度によって色彩が変化する温度感知部材を配設し、さらに、この温度感知部材の裏面側に樹脂製あるいは金属製の熱伝導部材を配設して透明の構成部材と熱伝導部材との間で温度感知部材を挟持したことを特徴とするメガネフレーム。
【請求項５】
前記一部が透明に形成され、裏面に設けた熱伝導部材との間で温度感知部材を挟持した構成部材は、それらの表面がウレタンニス等の透明材でコーティングされている請求項４記載のメガネフレーム。
【発明の詳細な説明】
【０００１】
【発明の属する技術分野】
この発明はメガネフレームに関し、特に、一部が温度の変化によって変色する機能を有するメガネフレームに関するものである。
【０００２】
【従来技術およびその問題点】
従来、一般に知られているメガネフレームにあっては、樹脂製や金属製のものがあるが、それらはいずれのものにあっても、当初の色彩が変色せずにそのままの色彩を放っているものである。
【０００３】
すなわち、樹脂製で模様や色彩が施されているメガネフレームにあっては、その模様や色彩が保持されたままであり、また、金属製のメガネフレームにあっても、その金属や塗装の色彩が保持されたままである。
【０００４】
したがって、異なる模様や色彩のメガネフレームを欲する場合には、希望に合致した新しいメガネフレームを購入する必要がある。
このことは、経済的な負担を意味し、特に、近年のように気分を変えるために模様や色彩を変える場合には大きな負担になる。
【０００５】
この発明の目的は、任意の部位の模様や色彩を変化させることができるので一つのメガネフレームであっても複数を所持するのと同様な効果を発揮することができるメガネフレームを提供することにある。
この発明の他の目的は、樹脂製あるいは金属製のいずれであっても任意の部位の模様や色彩を変化させることができるので一つのメガネフレームであっても複数を所持するのと同様な効果を発揮することができるメガネフレームを提供することにある。
【０００６】
【問題点を解決するための手段】
上記の目的を達成するためにこの発明は、メガネフレームを構成する前枠、テンプル等の部材のうちの少なくとも一つの構成部材の一部を透明に構成するとともに、この部位に対応する裏面に、温度によって色彩が変化する温度感知部材を配設した構成を有している。また、前記一部が透明に形成された構成部材の裏面に前記温度感知部材を直に貼着したり、前記一部が透明に形成され、裏面に温度感知部材が配設されている構成部材の表面をウレタンニス等の透明材でコーティングしたりする。
また、この発明は、メガネフレームを構成する前枠、テンプル等の部材のうちの少なくとも一つの構成部材の一部を透明に構成するとともに、この部位に対応する裏面に、温度によって色彩が変化する温度感知部材を配設し、さらに、この温度感知部材の裏面側に樹脂製あるいは金属製の熱伝導部材を配設して透明の構成部材と熱伝導部材との間で温度感知部材を挟持した構成を有している。そして、前記一部が透明に形成され、裏面に設けた熱伝導部材との間で温度感知部材を挟持した構成部材の表面がウレタンニス等の透明材でコーティングした構成を有している。
【０００７】
【作用】
この発明は前記の構成を有しているので、メガネフレームの任意の部位に設けられた温度感知部材が温度の変化によって模様や色彩を異ならせる。すると、この模様や色彩の変化は透明の枠部材を介して看者が認識するに至るので、あたかも異なるメガネフレームのような印象を与えることになる。
しかも、温度感知部材を熱伝導部材との間で挟持した場合には、熱伝導部材が温度変化を効率良く伝達するので色彩の変化を妨げる恐れは無い。
【０００８】
【発明の実施の形態】
以下、図面に示すこの発明の実施の形態について説明する。図１〜図３は所謂、フルリムといわれるメガネフレームを示し、図１は概略正面図、図２は概略平面図、図３は前枠の積層構造を示す概略断面図である。また、図４および図５は所謂、ハーフリムといわれるメガネフレームを示し、図４は概略正面図、図５は概略平面図である。
【０００９】
図１および図２において、この発明によるメガネフレームにあっては、所謂、フルリムといわれるメガネフレームであって、全体が樹脂製であり、レンズ１０の外周を保持する環状の左右の枠部３がブリッジ４で一体に連結されて後述する温度感知部材とともに前枠２を形成する枠部材７が形成され、この前枠２の外端側には一方が一体に埋め込まれている蝶番６がそれぞれ設けられている。また、この蝶番６の他方はテンプル５に一体に埋め込まれていて、蝶番６を介して前枠２に対して両テンプル５が開閉可能に取り付けられている。
【００１０】
前記前枠２は表面側に透明の枠部材７が位置し、この透明の枠部材７の裏面側、すなわち、メガネフレーム１を掛ける人側には前記前枠２と同一形状をなす感温液晶シート等の温度感知部材８（温度によって色彩が異なる部材）が貼着されている。
【００１１】
なお、前記テンプル５は前記前枠２と同様に、表面側を透明の枠部材７で形成し、裏面側、すなわち、メガネフレーム１を掛ける人側には前記前枠と同様に感温液晶シート等の温度感知部材８（温度によって色彩が異なる部材）を貼着したり、あるいは、温度感知部材を用いることなく、前枠２とデザイン的に合った部材のみでテンプル５を形成しても良い。
【００１２】
すなわち、図３には温度感知部材８を用いた場合が示されていて、前記前枠２は表面側が透明の枠部材７で形成され、この枠部材７の裏面側に前枠２と同一の形状の温度感知部材８が貼着されている。
【００１３】
上記のように構成すると、このメガネフレームを使用者が掛けた時には、少なくとも温度感知部材８の一部に体温が作用する。すると、この温度変化によって温度感知部材８が変色し、この変色が透明の枠部材７を介して前方から認識することができることになる。
【００１４】
したがって、この変色によってあたかも変色前のメガネフレームとは異なるメガネフレームのような模様になる。しかも、使用者が位置する場所によっても気温が異なる場合には、その気温差によっても変色することになり、気温、および体温による温度変化に対して変色してあたかも全く別異のメガネフレームになる。
【００１５】
なお、前記実施の形態においては、前枠を構成する透明の枠部材７の裏面に温度感知部材を貼着した場合について説明したが、前枠２のみでなくテンプル５やノーズパッドにも、あるいは、それらのうちの変色させたいもののみに用いても良いものであり、この実施の形態においては、前枠２とノーズパッドとが一体型のものを示したが、脚を介して鼻との当接部を取り付けたノーズパッドにおいては、当接部に温度感知部材を用いておけば良いものである。
【００１６】
さらに、前記実施の形態においては、透明の枠部材７の裏面に温度感知部材８を貼着した場合について説明したが、透明の枠部材７の裏面に温度感知部材８を貼着した後の外周面をウレタンニス等の透明材でコーティングすることも考えられる。
【００１７】
また、温度感知部材８の裏面に熱伝導率の高い、樹脂製や金属製の枠部材を貼着する、すなわち、枠部材間で温度感知部材８を挟み込んだり、さらに、上記と同様に外周面をウレタンニス等の透明材でコーティングすることも考えられる。
【００１８】
図４および図５にはこの発明の他の実施の形態が示されており、この実施の形態は、所謂、ハーフリムのメガネフレームである。この発明によるメガネフレーム１１にあっては、両レンズ１０の上縁部のみを支持する左右の枠部１３を有し、左右の枠部１３がブリッジ１４で一体に連結されて後述する温度感知部材とともに前枠１２を形成する枠部材１７が形成される。
【００１９】
そして、この前枠１２の両外側には一方が一体に埋め込まれている蝶番１６がそれぞれ設けられている。また、この蝶番１６の他方はテンプル１５に一体に埋め込まれていて、蝶番１６を介して前枠１２に対して両テンプル１５が開閉可能に取り付けられている。
【００２０】
前記前枠１２は表面側に透明の枠部材１７が位置し、この透明の枠部材１７の裏面側、すなわち、メガネフレーム１１を掛ける人側には前記前枠１２と同一形状をなす感温液晶シート等の温度感知部材８（温度によって色彩が異なる部材）が貼着されている。
【００２１】
なお、前記テンプル１５は前記前枠１２と同様に、表面側を透明の枠部材１７で形成し、裏面側、すなわち、メガネフレーム１１を掛ける人側には前記前枠１２と同様に感温液晶シート等の温度感知部材（温度によって色彩が異なる部材）を貼着したり、あるいは、温度感知部材を用いることなく、前枠１２とデザイン的に合った部材のみでテンプル１５を形成しても良い。
【００２２】
上記のように構成すると、このメガネフレーム１１を使用者が掛けた時には、少なくとも温度感知部材の一部に体温が作用する。すると、この温度変化によって温度感知部材が変色し、この変色が透明の枠部材を介して前方から認識することができることになる。
【００２３】
したがって、この変色によってあたかも変色前のメガネフレームとは異なるメガネフレームのような模様になる。しかも、使用者が位置する場所によって気温が異なる場合には、その気温差によっても変色することになり、気温、および体温による温度変化に対して変色してあたかも全く別異のメガネフレームになる。
【００２４】
なお、前記実施の形態においては、前枠１２を構成する透明の枠部材１７の裏面に温度感知部材８を貼着した場合について説明したが、前枠１２のみでなくテンプル１５やノーズパッドにも、あるいは、それらのうちの色彩を変化させたいもののみに用いても良いものである。
【００２５】
さらに、前記実施の形態においては、透明の枠部材の裏面に温度感知部材を貼着した場合について説明したが、透明の枠部材の裏面に温度感知部材を貼着した後の外周面をウレタンニス等の透明材でコーティングすることも考えられる。
【００２６】
また、温度感知部材の裏面に熱伝導率の高い、樹脂製や金属製の枠部材を貼着する、すなわち、枠部材間で温度感知部材を挟み込んだり、さらに、上記と同様に外周面をウレタンニス等の透明材でコーティングすることも考えられる。
【００２７】
上記のことは図１〜図３に示す実施の形態の場合と同様である。
【００２８】
【発明の効果】
この発明は前記のように構成したことにより、メガネフレームを構成する各部材の一部を透明にするとともに、この裏側に温度によって色彩が変化する温度感知部材を配設したので、気温や体温の変化に応じてメガネフレームの全部あるいは一部が模様、色彩的に変化する。これによって当初のメガネフレームとは異なる模様、色彩となり、温度の変化に応じて異なる美観を発するようになる。しかも、メガネフレームの全体又は一部が変化するので複数のメガネフレームを所持するのと同様な効果を発揮することになる。
【図面の簡単な説明】
【図１】この発明によるメガネフレームの実施の形態を示す概略正面図である。
【図２】図１に示すものの概略平面図である。
【図３】図１に示すものに使用されている前枠の積層構造を示す概略断面図である。
【図４】この発明によるメガネフレームの他の実施の形態を示す概略正面図である。
【図５】図４に示すものの概略平面図である。
【符号の説明】
１、１１……メガネフレーム
２、１２……前枠
３、１３……枠部
４、１４……ブリッジ
５、１５……テンプル
１０……レンズ
６、１６……蝶番
７、１７……枠部材
８……温度感知部材
【図１】
2004125888.tif 000003
【図２】
2004125888.tif 000004
【図３】
2004125888.tif 000005
【図４】
2004125888.tif 000006
【図５】
2004125888.tif 000007
【手続補正書】
【提出日】平成14年10月1日(2002.10.1)
【手続補正１】
【補正対象書類名】明細書
【補正対象項目名】００２７
【補正方法】変更
【補正の内容】
【００２７】
上記のことは、図１〜図３に示す実施の形態の場合と同様である。
なお、前記各実施の形態において、メガネフレームを構成する各部材の少なくとも一部に異なる温度で、たとえば、ある温度感知部材は３７℃で色彩が変化し、また、他の温度感知部材は、たとえば３８℃で色彩が変化し、このように複数の温度でそれぞれ色彩が変化する温度感知部材を配設することで、使用者の体温で種々の模様を表現することができる。さらに、通常の人の体温よりも高くなった場合に色彩が変化することで、メガネフレームの使用者の体調を外部から知ることができるようになる。